(57)【特許請求の範囲】
【請求項１】
ケーブル部と、前記ケーブル部の一端に設けられる電源プラグと、を有する医療機器用電源ケーブルであって、
前記ケーブル部の他端側に設けられる分岐部を有し、
前記ケーブル部は、前記分岐部にて第１ケーブル部と、第２ケーブル部とに分岐し、
前記第１ケーブル部の端部には第１電源コネクタが設けられ、前記第２ケーブル部の端部には第２電源コネクタが設けられ、
前記分岐部の側部には、取付部が設けられ、
前記分岐部は、金型によって、一体成型され、
前記取付部は、矩形状の孔が形成され、
前記取付部は、前記取付部に形成された前記孔を介して面ファスナーが挿入され、前記面ファスナーのフック状に起毛された側と、ループ状に密集して起毛された側とが貼り付けられることによって前記面ファスナーが取り付けられる、
医療機器用電源ケーブル。
【請求項２】
請求項１に記載の医療機器用電源ケーブルにおいて、
前記電源プラグの根本には熱硬化樹脂が入れられている、医療機器用電源ケーブル。
【請求項３】
請求項１に記載の医療機器用電源ケーブルにおいて、
前記ケーブル部と、前記第１ケーブル部と、前記第２ケーブル部とには、第１の線と、第２の線と、第３の線とが内蔵されており、
前記ケーブル部から前記第１の線が分岐するまでの長さと、前記ケーブル部から前記第２の線が分岐するまでの長さと、前記ケーブル部から前記第３の線が分岐するまでの長さとは、互いに異なる、
医療機器用電源ケーブル。
【発明の詳細な説明】
【技術分野】
【０００１】  本発明は、医療機器用電源ケーブルに関する。
【背景技術】
【０００２】  医療機器に電力を供給するための医療機器用電源ケーブルが知られている。医療機器用電源ケーブルは、一端に設けられる電源プラグがコンセントに挿入され、他端に設けられる電源コネクタが医療機器に接続されることで、医療機器に電力を供給する。【０００３】  特開２００２−２１６８８３号公報（特許文献１）には、「第１の光結合手段としてフェルールが付設された電源コンセント差込用の差込プラグ、第２の光結合手段としてフェルール受が付設された接続用コネクタ、これら差込プラグ及び接続用コネクタを電気、光結合する電力線及び光ファイバを備えた光電複合ケーブルとから構成されている」接続ケーブルが記載されている。
【先行技術文献】
【特許文献】
【０００４】
【特許文献１】特開２００２−２１６８８３号公報
【発明の概要】
【発明が解決しようとする課題】
【０００５】  例えば、手術が行われる際には、安全性の観点から、手術室の床を這うケーブルの本数をできるだけ少なくすることが望まれている。【０００６】  従来の技術では、複数の医療機器を一人の患者に対して使用する場合に、医療機器の数だけ電源ケーブルを使用する必要があった。そのため、特に、多数の医療機器が使用される、手術などが行われる現場にて、手術室の床を這うケーブルが増加するという問題があった。
本発明の目的は、医療現場の安全性を向上させる技術を提供することである。
【課題を解決するための手段】
【０００７】  本願において開示される発明のうち、代表的なものの概要を簡単に説明すれば、次の通りである。【０００８】  本発明の一実施の形態の医療機器用電源ケーブルは、ケーブル部と、前記ケーブル部の一端に設けられる電源プラグと、を有する医療機器用電源ケーブルであって、前記ケーブル部の他端側に設けられる分岐部を有する。また、前記ケーブル部は、前記分岐部にて第１ケーブル部と、第２ケーブル部とに分岐する。また、前記第１ケーブル部の端部には第１電源コネクタが設けられ、前記第２ケーブル部の端部には第２電源コネクタが設けられる。
【発明の効果】
【０００９】  本願において開示される発明のうち、代表的なものによって得られる効果を簡単に説明すれば以下のとおりである。
本発明の代表的な実施の形態によれば、医療現場の安全性を向上できる。
【図面の簡単な説明】
【００１０】
【図１】本発明の一実施の形態における医療機器用電源ケーブルの外観を示す図である。
【図２】本発明の一実施の形態における医療機器用電源ケーブルの分岐部の外観を示す図である。
【図３】本発明の一実施の形態における医療機器用電源ケーブルの分岐部の内部を示す配線図である。
【図４】（Ａ）は、ケーブル部から分岐部の内部に向かって伸びる各線の例を示す図である。（Ｂ）は、分岐してから第１ケーブル部／第２ケーブル部に向かって延びる各線の例を示す図である。
【図５】本発明の一実施の形態における医療機器用電源ケーブルが使用されている状態を示す図である。
【図６】本発明の一実施の形態における医療機器用電源ケーブルが使用されている状態を拡大して示す図である。
【発明を実施するための形態】
【００１１】  以下、本発明の実施の形態を図面に基づいて詳細に説明する。なお、実施の形態を説明するための全図において、同一部には原則として同一の符号を付し、その繰り返しの説明は省略する。
【００１２】  図１は、本技術が適用された医療機器用電源ケーブル１０の外観を示す（分岐部１３０については模式的に示している）。図１に示されるように、医療機器用電源ケーブル１０は、ケーブル部１２０と、ケーブル部１２０の一端に設けられる電源プラグ１１０と、ケーブル部１２０の他端側に設けられる分岐部１３０とを有する。また、ケーブル部１２０は、分岐部１３０にて第１ケーブル部２１０と、第２ケーブル部３１０とに分岐する。
【００１３】電源プラグ１１０は、コンセント（壁に設置された設けられるプラグの差込み口）に挿入される。電源プラグ１１０から、分岐部１３０までは一本のケーブルであり、分岐部１３０にて、２本以上のケーブル（第１ケーブル部２１０、第２ケーブル部３１０）に分岐する。
【００１４】  そして、分岐部１３０にて分岐する一方のケーブルである第１ケーブル部２１０の端部には、第１電源コネクタ２２０が設けられる。また分岐部で分岐する他方のケーブルである第２ケーブル部３１０の端部には第２電源コネクタ３２０が設けられる。第１ケーブル部２１０と第２ケーブル部３１０との長さは同一であり、これによって、現場にて、第１電源コネクタ２２０と第２電源コネクタ３２０をどちらの医療機器に挿入すれば良いのか、迷わなくなる。
【００１５】  なお、第１ケーブル部２１０の長さを第２ケーブル部３１０よりも所定値（例えば、５ｃｍ〜３０ｃｍ）長くしてもまたは短くしても良い。これによって、設置される高さが異なる複数の医療機器に対して、高さが低い方の医療機器に、長さが短い（第１ケーブルよりも長さが短い）第２ケーブル３１０の第２電源コネクタ３２０を挿入し、高さが高い方の医療機器に、長さが長い（第２ケーブルよりも長さが長い）第１ケーブル２１０の第１電源コネクタ２２０をバランス良く挿入できる。また、複数の医療機器のうち、一方の医療機器が患者の心臓の高さに設置しなければならないような場合であっても、高さが低い方の医療機器に第２電源コネクタ３２０を挿入し、高さが高い方の医療機器に第１電源コネクタ２２０に挿入できる。
【００１６】  また、医療機器用電源ケーブル１０の電源プラグ１１０の刃の根本に熱硬化樹脂（初期重合物を加熱すると架橋反応を起し、三次元網状構造を形成して硬化する樹脂）が入れられており、耐トラッキング施工がされている。これによって、コンセントに差し込まれた電源プラグ１１０の周辺に埃や湿気が付着することで、プラグの刃の間に電流が流れ、火花放電を繰り返すことで、絶縁樹脂の表面に炭化導電路（トラック）が形成され発火する現象（いわゆるトラッキング現象）が発生することを防止でき、医療現場（病室や手術室）にて火災が発生する可能性を低減できる。
また、医療機器用電源ケーブル１０の長さは、２９０ｃｍ〜３１０ｃｍであり、第１ケーブル部２１０と第２ケーブル部３１０の長さは、５５ｃｍ〜６５ｃｍである。
【００１７】  また、ショートタイプの医療機器用電源ケーブル（不図示）の長さは、６０ｃｍ〜７０ｃｍであり、第１ケーブル部２１０と第２ケーブル部３１０の長さは、２５ｃｍ〜３５ｃｍである。これによって、医療機器用電源ケーブル１０の使用時にて、ケーブル部１２０が床に接触するのを回避しやすくなる。そのため、衛生的に医療機器用電源ケーブルを使用できる。また、電源プラグ１１０から分岐部１３０までの長さを短くすることで、上空にてケーブル部１２０を分岐させやすくなり、床を這うケーブルの本数を減少させることができる。特に、多数の機器が使用され、さらに安全性の観点からも床を這うケーブルの数を減らすことが求められる手術室にて、複数のケーブルがスパゲティ状になることを防止できる。
【００１８】  図２は、本発明の一実施の形態における医療機器用電源ケーブル１０の分岐部１３０の外観を示す図である。分岐部１３０は、金型（不図示）によって、一体成型されている。これによって、分岐部１３０の強度が飛躍的に向上し、医療現場にて医療機器用電源ケーブルが使用される際の安全性と、デザイン性を格段に向上できる。
【００１９】  図２に示されるように、分岐部１３０の側部には、取付部１３１が設けられている。また、取付部１３１には、矩形状の孔が形成されている。また、取付部１３１は、ケーブル１２０の反対側に設けられている。そして、取付部１３１に形成された孔を介して、面ファスナー（例えば、マジックテープ（登録商標））が取り付けられる。
【００２０】  より詳細には、取付部１３１の孔を介して面ファスナーが挿入され、面ファスナーのフック状に起毛された側と、ループ状に密集して起毛された側とが貼り付けられる。これによって取付部１３１に面ファスナーが取り付けられる。
【００２１】取り付けられた面ファスナーは、ガートル台４００などに引っかけられる。これによって、医療機器用電源ケーブル１０の使用時（コンセントに電源プラグを挿入し、第１電源コネクタ２１０および第２電源コネクタ２２０を医療機器に接続した状態）にて、ケーブル部１２０が床に接触するのを回避できる。そのため、衛生的に医療機器用電源ケーブルを使用できる。さらに、医療機器用電源ケーブル１０の取り回しが容易になる。
【００２２】  図３は、図１に示される医療機器用電源ケーブルの分岐部の内部を示す配線図である。病院の医用電源コンセントは、アースが常時接地する医用３Ｐ電源プラグが差し込み可能な３Ｐコンセントの使用が義務付けられている。そのため、図３に示されるように、医療機器用電源ケーブルは、黒線と、緑線と、白線とを含む。また、分岐部１３０の内部にて、各線（黒線、緑線、白線）は、一方が第１ケーブル部２１０へ、他方が第２ケーブル部３１０へとそれぞれ分岐する。
【００２３】  より詳細には、ケーブル部１２０からリングスリーブ１３２に向かって延びる黒線は、リングスリーブ１３２にて２本の黒線に分岐する。そして、一方の黒線が第１ケーブル部２１０へ、他方の黒線が第２ケーブル部３１０に向かって分岐する。同様に、ケーブル部１２０からリングスリーブ１３２に向かって延びる緑線についても、リングスリーブ１３２にて２本の緑線に分岐する。そして、一方の緑線が第１ケーブル部２１０へ、他方の緑線が第２ケーブル部３１０に向かって分岐する。また、ケーブル部１２０からリングスリーブ１３２に向かって延びる白線についても、リングスリーブ１３２にて２本の白線に分岐する。そして、一方の白線が第１ケーブル部２１０へ、他方の白線が第２ケーブル部３１０に向かって分岐する。
【００２４】  図４（Ａ）は、本発明の一実施の形態における医療機器用電源ケーブルのケーブル部１２０から分岐部の内部に向かって伸びる各線の例を示す図である。図４（Ｂ）は、本発明の一実施の形態における第１ケーブル部２１０／第２ケーブル部３１０から分岐部の内部に向かって伸びる各線の例を示す図である。
【００２５】  図４（Ａ）、図４（Ｂ）に示されるように、ケーブル部１２０、第１ケーブル部２１０、第２ケーブル部３１０の内部の黒線と、緑線と、白線とはそれぞれが樹脂によってコーティングされている。これによって、黒線と、緑線と、白線とは互いに絶縁されている。
【００２６】  一方で、ケーブル部１２０から第１ケーブル部２１０／第２ケーブル部３１０に向かって延びる黒線の先端部分（ケーブル部１２０の先端部分２ｍｍ〜５ｍｍすなわち、第１ケーブル部２１０／第２ケーブル部３１０側の２ｍｍ〜５ｍｍ）と、緑線の先端部分（ケーブル部１２０の先端部分２ｍｍ〜５ｍｍすなわち、第１ケーブル部２１０／第２ケーブル部３１０側の２ｍｍ〜５ｍｍ）と、白線の先端部分（ケーブル部１２０の先端部分２ｍｍ〜５ｍｍすなわち、第１ケーブル部２１０／第２ケーブル部３１０側の２ｍｍ〜５ｍｍ）は、樹脂によってコーティングされていない。
【００２７】  また、第１ケーブル部２１０／第２ケーブル部３１０からケーブル部１２０に向かって延びる黒線の先端部分（ケーブル部１２０側の先端部分２ｍｍ〜５ｍｍ）と、緑線の先端部分（ケーブル部１２０側の先端部分２ｍｍ〜５ｍｍ）と、白線の先端部分（ケーブル部１２０側の先端部分２ｍｍ〜５ｍｍ）は、樹脂によってコーティングされていない。
【００２８】  そして、ケーブル部１２０から第１ケーブル部２１０／第２ケーブル部に向かって延びる黒線の先端部分は、第１ケーブル部２１０からケーブル部１２０に向かって延びる黒線の先端部分と、第２ケーブル部３１０からケーブル部１２０に向かって延びる黒線の先端部分と分岐部の内部のリングスリーブにて接続する。
【００２９】  そして、ケーブル部１２０から第１ケーブル部２１０／第２ケーブル部３１０に向かって延びる黒線の先端部分と、第１ケーブル部２１０からケーブル部１２０に向かって延びる黒線の先端部分と、第２ケーブル部３１０からケーブル部１２０に向かって延びる黒線の先端部分とは、接続された状態でリングスリーブにより固定される。そして、リングスリーブに固定された状態で、３本の黒線の接続部分に絶縁テープ（不図示）が巻かれる。
【００３０】  同様に、ケーブル部１２０から第１ケーブル部２１０／第２ケーブル部に向かって延びる緑線の先端部分は、第１ケーブル部２１０からケーブル部１２０に向かって延びる緑線の先端部分と、第２ケーブル部３１０からケーブル部１２０に向かって延びる緑線の先端部分と、分岐部の内部のリングスリーブにて接続する。
【００３１】  そして、ケーブル部１２０から第１ケーブル部２１０／第２ケーブル部に向かって延びる緑線の先端部分と、第１ケーブル部２１０からケーブル部１２０に向かって延びる緑線の先端部分と、第２ケーブル部３１０からケーブル部１２０に向かって延びる緑線の先端部分とは、接続された状態でリングスリーブにより固定される。そして、リングスリーブに固定された状態で、３本の緑線の接続部分に絶縁テープ（不図示）が巻かれる。
【００３２】  また、ケーブル部１２０から第１ケーブル部２１０／第２ケーブル部に向かって延びる白線の先端部分は、第１ケーブル部２１０からケーブル部１２０に向かって延びる白線の先端部分と、第２ケーブル部３１０からケーブル部１２０に向かって延びる白線の先端部分と、分岐部の内部のリングスリーブにて接続する。
【００３３】  そして、ケーブル部１２０から第１ケーブル部２１０／第２ケーブル部３１０に向かって延びる白線の先端部分と、第１ケーブル部２１０からケーブル部１２０に向かって延びる白線の先端部分と、第２ケーブル部３１０からケーブル部１２０に向かって延びる白線の先端部分とは、接続された状態でリングスリーブにより固定される。そして、リングスリーブに固定された状態で、３本の白線の接続部分には、絶縁テープ（不図示）が巻かれる。
ここで、使用方法などによって絶縁テープが緩むことで、絶縁テープが緩んだ接合場所にて、各線（黒線、緑線、白線）が接触し、電気が同通（ショート）する可能性がある。
【００３４】  そこで、本発明の一実施の形態では、ケーブル部１２０から延びる各線（黒線、緑線、白線）の接合位置（分岐位置）をずらしている。すなわち、ケーブル部１２０と、第１ケーブル部２１０と、第２ケーブル部３１０とには、第１の線（例えば、白線）と、第２の線（例えば、緑線）と、第３の線（例えば、黒線）とが内蔵されており、第１の線が分岐するまでの長さと、第２の線が分岐するまでの長さと、第３の線が分岐するまでの長さとは、互いに異なる。これによって、各線が接触することによる同通（ショート）の発生を防止している。
【００３５】  詳細には、ケーブル部１２０から第１の線（例えば、白線）が分岐するまでの長さよりも、ケーブル部１２０から第２の線（例えば、緑線）が分岐するまでの長さを長くしている。また、第２の線の長さよりも、ケーブル部１２０から第３の線（例えば、黒線）が分岐するまでの長さを長くしている。
【００３６】  さらに、ケーブル部１２０から第１の線（例えば、白線）が分岐してから第１ケーブル部２１０／第２ケーブル部３１０までの長さよりも、ケーブル部１２０から第２の線（例えば、緑線）が分岐してから第１ケーブル部２１０／第２ケーブル部３１０までの長さを短くしている。また、ケーブル部１２０から第３の線（例えば、黒線）が分岐してから第１ケーブル部２１０／第２ケーブル部３１０までの長さを第２の線の長さ（ケーブル部１２０から第２の線（例えば、緑線）が分岐してから第１ケーブル部２１０／第２ケーブル部３１０までの長さ）よりも短くしている。
【００３７】  具体的には、ケーブル部１２０から第１の線（例えば、白線）が分岐するまでの長さ（ケーブル部１２０から分岐する直前までの白線の長さ）は、１５ｍｍ〜２５ｍｍであり、ケーブル部１２０から第２の線（例えば、緑線）が分岐するまでの長さ（ケーブル部１２０から分岐する直前までの緑線の長さ）は、３０ｍｍ〜４０ｍｍであり、ケーブル部１２０から第３の線（例えば、黒線）が分岐するまでの長さ（ケーブル部１２０から分岐する直前までの黒線の長さ）は、４５ｍｍ〜５５ｍｍである。
【００３８】  また、第１の線（例えば、白線）が分岐してから第１ケーブル部２１０／第２ケーブル部３１０までの長さは、４５ｍｍ〜５５ｍｍであり、第２の線（例えば、緑線）が分岐してから第１ケーブル部２１０／第２ケーブル部３１０までの長さは、３０ｍｍ〜４０ｍｍであり、第３の線（例えば、黒線）が分岐してから第１ケーブル部２１０／第２ケーブル部３１０までの長さは、１５ｍｍ〜２５ｍｍである。
【００３９】  図５は、本事業に係る医療機器用電源ケーブルが病室で使用されている状態を示す。また、図６は、医療機器用電源ケーブルが病室で使用されている状態を拡大して示す。なお、図５と図６とは説明の便宜のため、模式的に図示されている。
【００４０】  これまで、医療現場（病室やオペ室）では、一人の患者に対して、複数のポンプ機器がセットで使用されていた。ポンプ機器としては、輸液ポンプ（患者の体内に注入される輸液量を正確に調整するための医療機器）と、シリンジポンプ（輸液ポンプよりも微量かつ高密度の薬液を患者に輸液するための医療機器）とがある。そして、輸液ポンプおよびシリンジポンプに電力を供給するために２本の電源ケーブルが、一人の患者に対して使用されていた。
【００４１】  詳細には、輸液ポンプは、電源ケーブルを介して電力が供給されており、輸液ポンプに電力を供給するために、電源ケーブルの一端に設けられた電源コネクタが輸液ポンプに接続され、電源ケーブルの他端に設けられた電源プラグがコンセントに接続される。また、シリンジポンプも同様に電源ケーブルを介して電源が供給され、コンセントには、輸液ポンプに電力供給するための電源プラグと、シリンジポンプに電力供給するための電源プラグが別々に接続されていた。
【００４２】  図５、図６に示されるように、輸液ポンプ５００と、シリンジポンプ６００とはガートル台（点滴棒）４００に固定される。また、医療機器用電源ケーブルの電源プラグ１１０は１つであり、コンセントには、１つの電源プラグ１１０のみが挿入される。医療機器用電源ケーブルの第１ケーブル部２１０は、例えば輸液ポンプ５００に挿入される。また、医療機器用電源ケーブルの第２ケーブル部３１０は、シリンジポンプ６００に挿入される。これによって、輸液ポンプ５００には第１ケーブル部２１０を介して電力が供給され、シリンジポンプ６００には第２ケーブル部３１０を介して電力が供給される。
【００４３】  仮に、患者がトイレに行くなどの事由によって、ベッドから移動する際には、コンセントに挿入された１つの電源プラグ１１０を引き抜く。コンセントから電源プラグ１１０が引き抜かれた後は、医療機器用電源ケーブルを介して輸液ポンプ５００とシリンジポンプ６００に電力が供給されなくなる。しかしながら、輸液ポンプ５００とシリンジポンプ６００には、バッテリーが内蔵されている。そのため、輸液ポンプ５００とシリンジポンプ６００は、電源プラグ１１０がコンセントから引き抜かれた後は、バッテリーから供給される電力により駆動する。
【００４４】  医療機器用電源ケーブルの電源プラグ１１０は一つであるため、一つの電源プラグ１１０をコンセントから引き抜くだけで、患者は、ガートル台４００とともにベッドから移動可能になる。これによって、コンセント（壁に設けられるプラグの差込み口）から電源プラグ１１０を引き抜く回数を従来の２回から１回へと半分にすることで、医療現場における作業性の向上を図ることができる。
【００４５】  また、従来、医療現場では看護師や患者が自らの判断で、電源コネクタ（第１電源コネクタ２２０および第２電源コネクタ３２０）を医療機器から引き抜くことが頻発していた。その結果、接続部（医療機器に設けられる、電源コネクタが接続される部位）が破損し、２〜３年に一度接続部を交換しなければならなかった。本発明に係る医療機器用電源ケーブル１０を使用することで、電源コネクタ（第１電源コネクタ２２０および第２電源コネクタ３２０）よりも数が少ない電源プラグ１１０が優先して引き抜かれるため、接続部が破損することを防止できる。
＜本実施の形態の効果＞
【００４６】  従来の技術では、一人の患者に対して複数の医療機器を使用する場合に、患者の病室の近傍のコンセントには、少なくとも、２つの電源プラグ１１０が接続されている必要があった。患者がベッドから移動するためには、一方の医療機器に接続されている電源ケーブルのプラグをコンセントから引き抜く作業と、他方の医療機器に接続されている電源ケーブルのプラグをコンセントから引き抜く作業とが発生していた。
【００４７】  また、手術が行われる際には、安全性の観点から、手術室の床を這うケーブルの本数をできるだけ少なくすることが望まれている。そのため、手術室では、壁に設置されたコンセントに、例えば、以下に示されるようなテーブルタップが接続される。テーブルタップは、コンセントの差込口が上方に向けて開口している。また、手術室の床は、患者の血液などの液体によって濡れることが多い。そのため、手術室でテーブルタップが使用された場合、コンセントの差込口から、テーブルタップの内部に血液などの液体が侵入し、火災などが発生する恐れがあった。
【００４８】以上説明した本実施の形態における医療機器用電源ケーブルによれば、ケーブル部１２０が、分岐部１３０にて第１ケーブル部２１０と、第２ケーブル部３１０とに分岐することで、テーブルタップを用いることなく、電源プラグ１１０を１回、コンセントから引き抜くだけで、患者がベッドから移動可能になる。さらに、手術室の床を這うケーブルの本数をできるだけ少なくできる。そのため、テーブルタップを用いなくても手術可能になり、特に手術室にて、火災が発生する可能性を低減できる。
【００４９】  また、電源プラグ１１０の根本には熱硬化樹脂が入れられていることで、コンセントに差し込まれた電源プラグ１１０の周辺に埃や湿気が付着することで、プラグの刃の間に電流が流れ、火花放電を繰り返すことで、絶縁樹脂の表面に炭化導電路（トラック）が形成され発火する現象（いわゆるトラッキング現象）が発生することを防止でき、火災が発生する可能性を低減できる。
【００５０】  また、第１の線が分岐するまでの長さと、第２の線が分岐するまでの長さと、第３の線が分岐するまでの長さとが、互いに異なることで、各線（第１の線〜第３の線）が接触することによる同通（ショート）の発生を防止できる。
【００５１】  以上、本発明者によってなされた発明を実施の形態に基づき具体的に説明したが、本発明は前記実施の形態に限定されるものではなく、その要旨を逸脱しない範囲で種々変更可能であることはいうまでもない。
【００５２】  例えば、分岐部１３０にて分岐するケーブル部は、２本のケーブル部（第１ケーブル部２１０および第２ケーブル部３１０）に限らず、３本以上であっても良い。その場合、３本目以降のケーブル部の長さは、２本目までのケーブル部の長さよりも１０〜２０ｃｍ長くするのが望ましい。これによって、複数のガートル台４００に設けられた、それぞれの医療機器に各電源コネクタを挿入する場合に、ケーブル部の長さが足りなくなるということが発生しにくくなる。
【００５３】  また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００５４】１０…医療機器用電源ケーブル、
１１０…電源プラグ、１２０…ケーブル部、１３０…分岐部、
２１０…第１ケーブル部、２２０…第１電源コネクタ、
３１０…第２ケーブル部、３２０…第２電源コネクタ。
【図１】
0006594827.tif 000002
【図２】
0006594827.tif 000003
【図３】
0006594827.tif 000004
【図４】
0006594827.tif 000005
【図５】
0006594827.tif 000006
【図６】
0006594827.tif 000007